(57)【要約】【課題】本発明の目的は、ＡＤＳＬを用いた通信の通信速度の向上を図ることにある。【解決手段】本発明のシステムは、ＷＡＮインタフェースとしてＡＤＳＬ回線を使用するＡＤＳＬ装置において、特に１ｋｍ前後の近距離の場合、使用する電話回線の近くにＶＤＳＬ通信の周波数帯域に信号がないかを予め確認し、ＶＤＳＬ信号がない場合にＶＤＳＬで使用する波帯域をＡＤＳＬで使用する周波数帯域として割り当てることによって、ＡＤＳＬ通信の使用帯域を拡張してＡＤＳＬ通信の速度を向上させる。【選択図】図１
2008131318.tif 000002
【特許請求の範囲】
【請求項１】
所定の周波数帯域における信号の有無を検出する検出手段と、
前記所定の周波数帯域に信号が無いと検出された場合、前記所定の周波数帯域とＡＤＳＬで用いられている周波数帯域とを合わせた周波数帯域で通信することを、トレーニング信号を用いて局側のモデムに通知する通知手段と、
前記通知後に前記前記所定の周波数帯域とＡＤＳＬで用いられている周波数帯域とを合わせた周波数帯域で通信する通信手段と
を有することを特徴とする通信システム。
【請求項２】
前記所定の周波数帯域は、ＶＤＳＬで用いられている周波数帯域中の所定の帯域であることを特徴とする請求項１に記載の通信システム。
【請求項３】
前記検出手段は、ＡＤＳＬの電話回線に重畳されるノイズに基づいて検出することを特徴とする請求項１又は請求項２に記載の通信システム。
【請求項４】
所定の周波数帯域における信号の有無を検出する検出手段と、
前記所定の周波数帯域に信号が無いと検出された場合、ＡＤＳＬで用いられている周波数帯域を前記所定の周波数帯域を含めた周波数帯域まで拡張させて通信する通信手段と
を有することを特徴とするＡＤＳＬモデム。
【請求項５】
前記検出手段は、ＶＤＳＬで用いられている周波数帯域中の所定の帯域における信号の有無を検出することを特徴とする請求項４に記載のＡＤＳＬモデム。
【請求項６】
前記検出手段は、ＡＤＳＬの電話回線に重畳されるノイズに基づいて検出することを特徴とする請求項４又は請求項５に記載のＡＤＳＬモデム。
【請求項７】
前記所定の周波数帯域に信号が無いと検出された場合、ＡＤＳＬで用いられている周波数帯域を前記所定の周波数帯域を含めた周波数帯域まで拡張させて通信することを、トレーニング信号を用いて通知する通知手段を有することを特徴とする請求項４から請求項６のいずれかに記載のＡＤＳＬモデム。
【請求項８】
所定の周波数帯域に信号が無いと検出された場合に送信される、前記所定の周波数帯域を含めた周波数帯域で通信することを示すトレーニング信号を受信すると、前記所定の周波数帯域を含めた周波数帯域で通信する通信手段を有することを特徴とする局側のＡＤＳＬモデム。
【請求項９】
所定の周波数帯域における信号の有無を検出する検出ステップと、
前記所定の周波数帯域に信号が無いと検出された場合、前記所定の周波数帯域を含めた周波数帯域で通信する通信ステップと
を有することを特徴とする通信方法。
【請求項１０】
前記検出ステップは、ＡＤＳＬで使用している電話回線に重畳されるノイズに基づいて検出することを特徴とする請求項９に記載の通信方法。
【請求項１１】
前記検出ステップで前記所定の周波数帯域に信号が無いと検出された場合、局側のＡＤＳＬモデムに前記所定の周波数帯域を含めた周波数帯域で通信することを、トレーニング信号を用いて通知する通知ステップを有することを特徴とする請求項９又は請求項１０に記載の通信方法。
【請求項１２】
ＡＤＳＬモデムのプログラムであって、前記プログラムは、前記ＡＤＳＬモデムを、
所定の周波数帯域における信号の有無を検出する検出手段と、
前記所定の周波数帯域に信号が無いと検出された場合、前記所定の周波数帯域を含めた周波数帯域で通信する通信手段と
して機能させることを特徴とするプログラム。
【発明の詳細な説明】
【技術分野】
【０００１】
本発明は、ＡＤＳＬモデムの通信技術に関し、特に、局側のＡＤＳＬモデムと加入者側のＡＤＳＬモデム装置との間の通信で使用する使用周波数帯域を拡張して通信する通信技術に関する。
【背景技術】
【０００２】
従来、電話回線を用いて通信を行う技術として特許文献１のような技術がある。この従来技術は、隣接する電話回線のノイズを検知して、予め記憶されている漏話雑音パターンとの比較結果に応じて送信スペクトルを調整して他回線に影響を与えない範囲で高速に通信できるようにする技術である。
【特許文献１】特開２００６-０１４０４０号公報
【発明の開示】
【発明が解決しようとする課題】
【０００３】
上記特許文献１の技術では、他回線に影響を与えないように制御している為、高速に通信しようとしても通信速度の上げ幅に限度がある。
【０００４】
また、一般に、電話回線を用いたＡＤＳＬ（Asymmetric Digital Subscriber Line）通信では、図２に示すように、上り帯域は２６ｋＨｚから最大４８３ｋＨｚまで、下り帯域は２６ＫＨｚから３．７５ＭＨｚが使用されている。そして、上りと下りとの帯域が重なる帯域はＥＣ(エコーキャンセラ：以下ＥＣと示す)機能で通信されている。また、１ｋｍ以下での近距離では、線路損失が少ないため３．７５ＭＨｚ以上の高周波帯域にもビット割付も可能であるが、ＶＤＳＬ（Very high-bit-rate Digital Subscriber Line）での使用帯域ということで使用されないままとなっていた。
【０００５】
そこで、本発明が解決しようとする課題は、上記問題点を解決することにあり、ＡＤＳＬを用いた通信の通信速度の向上を図ることにある。
【課題を解決するための手段】
【０００６】
上記課題を解決するための第１の発明は、
所定の周波数帯域における信号の有無を検出する検出手段と、
前記所定の周波数帯域に信号が無いと検出された場合、前記所定の周波数帯域とＡＤＳＬで用いられている周波数帯域とを合わせた周波数帯域で通信することを、トレーニング信号を用いて局側のモデムに通知する通知手段と、
前記通知後に前記前記所定の周波数帯域とＡＤＳＬで用いられている周波数帯域とを合わせた周波数帯域で通信する通信手段と
を有することを特徴とする。
【０００７】
上記課題を解決するための第２の発明は、上記第１の発明において、
前記所定の周波数帯域は、ＶＤＳＬで用いられている周波数帯域中の所定の帯域であることを特徴とする。
【０００８】
上記課題を解決するための第３の発明は、上記第１又は第２の発明において、
前記検出手段は、ＡＤＳＬの電話回線に重畳されるノイズに基づいて検出することを特徴とする。
【０００９】
上記課題を解決するための第４の発明は、
所定の周波数帯域における信号の有無を検出する検出手段と、
前記所定の周波数帯域に信号が無いと検出された場合、ＡＤＳＬで用いられている周波数帯域を前記所定の周波数帯域を含めた周波数帯域まで拡張させて通信する通信手段と
を有することを特徴とする。
【００１０】
上記課題を解決するための第５の発明は、上記第４の発明において、
前記検出手段は、ＶＤＳＬで用いられている周波数帯域中の所定の帯域における信号の有無を検出することを特徴とする。
【００１１】
上記課題を解決するための第６の発明は、上記第４又は第５の発明において、
前記検出手段は、ＡＤＳＬの電話回線に重畳されるノイズに基づいて検出することを特徴とする。
【００１２】
上記課題を解決するための第７の発明は、上記第４から第６のいずれかの発明において、
前記所定の周波数帯域に信号が無いと検出された場合、ＡＤＳＬで用いられている周波数帯域を前記所定の周波数帯域を含めた周波数帯域まで拡張させて通信することを、トレーニング信号を用いて通知する通知手段を有することを特徴とする。
【００１３】
上記課題を解決するための第８の発明は、
所定の周波数帯域に信号が無いと検出された場合に送信される、前記所定の周波数帯域を含めた周波数帯域で通信することを示すトレーニング信号を受信すると、前記所定の周波数帯域を含めた周波数帯域で通信する通信手段を有することを特徴とする。
【００１４】
上記課題を解決するための第９の発明は、
所定の周波数帯域における信号の有無を検出する検出ステップと、
前記所定の周波数帯域に信号が無いと検出された場合、前記所定の周波数帯域を含めた周波数帯域で通信する通信ステップと
を有することを特徴とする。
【００１５】
上記課題を解決するための第１０の発明は、上記第９の発明において、
前記検出ステップは、ＡＤＳＬで使用している電話回線に重畳されるノイズに基づいて検出することを特徴とする。
【００１６】
上記課題を解決するための第１１の発明は、上記第９又は第１０の発明において、
前記検出ステップで前記所定の周波数帯域に信号が無いと検出された場合、局側のＡＤＳＬモデムに前記所定の周波数帯域を含めた周波数帯域で通信することを、トレーニング信号を用いて通知する通知ステップを有することを特徴とする。
【００１７】
上記課題を解決するための第１２の発明は、
ＡＤＳＬモデムのプログラムであって、前記プログラムは、前記ＡＤＳＬモデムを、
所定の周波数帯域における信号の有無を検出する検出手段と、
前記所定の周波数帯域に信号が無いと検出された場合、前記所定の周波数帯域を含めた周波数帯域で通信する通信手段と
して機能させることを特徴とする。
【００１８】
本発明は、ＷＡＮインタフェースとしてＡＤＳＬ回線を使用するＡＤＳＬ装置において、特に１ｋｍ前後の近距離の場合、使用する電話回線の近くにＶＤＳＬ通信の周波数帯域に信号がないかを予め確認し、ＶＤＳＬ信号がない場合にＶＤＳＬで使用する高周波帯域をＡＤＳＬの使用周波数帯域として割り当てることによってＡＤＳＬ通信の使用帯域を拡張し、ＡＤＳＬ通信の速度向上を図る。
【発明の効果】
【００１９】
本発明によると、ＶＤＳＬ通信の周波数帯域における信号の有無を、ＡＤＳＬ通信で使用している電話回線上に重畳されるＶＤＳＬからのノイズによって検出して帯域拡張が可能かどうかを判断し、可能な場合にＡＤＳＬ通信にてＶＤＳＬ帯域を割り当てているので、ＶＤＳＬ通信への干渉を抑え、且つＡＤＳＬ通信の速度向上が実現できる。
【発明を実施するための最良の形態】
【００２０】
本発明の特徴を説明するために、以下において、図面を参照して具体的に述べる。
【００２１】
図１は、本発明の通信システムを説明するためのブロック図である。
【００２２】
本発明の通信システムは、図１に示すように、局内ＡＤＳＬモデム部１と、宅内ＡＤＳＬモデム部７とを有する。局内ＡＤＳＬモデム部１と、宅内ＡＤＳＬモデム部７とは、電話回線を介して接続されている。
【００２３】
宅内ＡＤＳＬモデム部７は、加入者側に設置されているＡＤＳＬモデムである。宅内ＡＤＳＬモデム部７には、宅内ＡＤＳＬ変復調部８、Ｔｒａｉｎｉｎｇ選択部９、通常Ｔｒａｉｎｉｎｇ部１０、下り拡張Ｔｒａｉｎｉｎｇ部１１、帯域拡張設定部１２、ＶＤＳＬ信号検出部１３、帯域制御部１４、通常帯域受信部１５、拡張帯域受信部１６、及び受信選択部１７を有する。
【００２４】
帯域拡張設定部１２は、ユーザが帯域拡張するか否かを設定するものである。
【００２５】
ＶＤＳＬ信号検出部１３は、受信信号に基づいて３．７５ＭＨｚ以上のＶＤＳＬ使用周波数帯域においてＶＤＳＬ信号があるか否かを、ＡＤＳＬで使用している電話回線に重畳されるノイズに基づいて検出する。
【００２６】
一般に、ＶＤＳＬ回線がＡＤＳＬ回線の使用電話回線近くにあると、干渉はノイズとしてＡＤＳＬ回線で使用する電話回線にＶＤＳＬノイズが重畳される。ＶＤＳＬ信号検出部１３は、受信信号を監視し、ＶＤＳＬノイズが重畳されているかを検出する。
【００２７】
尚、本発明では、ＡＤＳＬで使用している電話回線に重畳されるノイズに基づいて検出する場合を用いて説明するが、ＶＤＳＬ通信でのみ使用される３．７５ＭＨｚから１２ＭＨｚまでの周波数帯域おいてＶＤＳＬ信号があるか否かを検出できれば良い。３．７５ＭＨｚから１２ＭＨｚまでの周波数帯域おいてＶＤＳＬ信号があるか否かを検出する理由を下記する。
【００２８】
通常のＡＤＳＬ通信では、図２に示すように、上り帯域は２６ｋＨｚから最大４８３ｋＨｚまで、下り帯域は２６ＫＨｚから３．７５ＭＨｚまで割り当てられてデータを伝送しており、一方のＶＤＳＬ通信では、図３に示すように、０．９ＮＨｚから１２ＭＨｚまでが使用され、この帯域を０．９ＭＨｚから３．７５ＭＨｚまでを下り、３．７５ＭＨｚから５．２ＭＨｚまで上り、５．２ＭＨｚから８．５ＭＨｚまでを下り、８．５ＭＨｚから１２ＭＨｚまでを上りというように割り当てられてデータを伝送している。ＡＤＳＬ通信とＶＤＳＬ通信とは、どちらも０．９ＭＨｚから３．７５ＭＨｚまでの帯域を使用するが、この帯域以外は、それぞれの通信でのみ使用される帯域である。従って、ＶＤＳＬ通信でのみ使用される３．７５ＭＨｚから１２ＭＨｚまでの周波数帯域おいてＶＤＳＬ信号があるか否かを検出する。
【００２９】
帯域制御部１４は、帯域拡張設定部１２にて帯域拡張が選択されており、尚且つ、ＶＤＳＬ信号検出部１３がＶＤＳＬ信号を検出しなかった場合に、下りの帯域を拡張するように、Ｔｒａｉｎｉｎｇ選択部９と受信選択部１７とに通知する。
【００３０】
Ｔｒａｉｎｉｎｇ選択部９は、通常は通常ｔｒａｉｎｉｎｇ部１０がｔｒａｉｎｉｎｇ信号を送出するように設定し、下りの帯域を拡張する旨の通知を帯域制御部１４から受けると、下り拡張ｔｒａｉｎｉｎｇ部１１がｔｒａｉｎｉｎｇ信号を送出するように設定する。
【００３１】
通常ｔｒａｉｎｉｎｇ部１０は、加入者側（宅内）に設置されている一般のＡＤＳＬ装置と同様に、局内ＡＤＳＬモデム部１と宅内ＡＤＳＬモデム部７との間で設定の等化を行い、プロトコルや伝送速度等を決定するためのｔｒａｉｎｉｎｇ信号を送出する。
【００３２】
下り拡張ｔｒａｉｎｉｎｇ部１１は、下りの帯域を拡張する為に、ＡＤＳＬ通信のlinkup前でのｔｒａｉｎｉｎｇ信号で帯域拡張の要求を示して送出する。
【００３３】
受信選択部１７は、通常は通常帯域受信部１５がデータ（信号）を受信するように設定し、下りの帯域を拡張する旨の通知を帯域制御部１４から受けると、拡張帯域受信部１６がデータを受信するように設定する。
【００３４】
通常帯域受信部１５は、加入者側（宅内）に設置されている一般のＡＤＳＬ装置と同様に、ＡＤＳＬで使用されている周波数帯域（２６ＫＨｚ〜３．７５ＭＨｚ）のデータを受信する。
【００３５】
拡張帯域受信部１６は、拡張された下りの帯域（２６ＫＨｚ〜１２ＭＨｚ）の信号を受信する。
【００３６】
宅内ＡＤＳＬ変復調部８は、加入者側（宅内）に設置されている一般のＡＤＳＬ装置と同様に、送信データを変調したり、受信データを変調したりする。
【００３７】
局内ＡＤＳＬモデム部１は、下り拡張要求検出部２、局側ＡＤＳＬ変復調部３、通常帯域送信部４、拡張帯域送信部５、及び送信選択部６を有する。
【００３８】
下り拡張要求検出部２は、宅内ＡＤＳＬモデムからのｔｒａｉｎｉｎｇ信号に帯域拡張の要求が含まれているかを検出する。
【００３９】
送信選択部６は、通常は通常帯域送信部４がデータを送出するように設定し、下り拡張要求検出部２が帯域拡張の要求を検出した場合、拡張帯域送信部５がデータを送出するように設定する。
【００４０】
通常帯域送信部４は、局側に一般に設置されているＡＤＳＬ装置と同様に、ＡＤＳＬで使用されている周波数帯域（２６ＫＨｚ〜３．７５ＭＨｚ）でデータを送信する。
【００４１】
拡張帯域送信部５は、拡張された下りの帯域（２６ＫＨｚ〜１２ＭＨｚ）でデータを送信する。
【００４２】
局側ＡＤＳＬ変復調部３は、局側に設置されている一般のＡＤＳＬ装置と同様に、送信データを変調したり、受信データを変調したりする。
【００４３】
続いて、本発明における通信システムの動作について、図４を用いて説明する。
【００４４】
図４は、本発明の通信システムにおけるＡＤＳＬ通信の帯域拡張を実現するための動作のフロー図である。
【００４５】
まず、帯域拡張設定部１２は、ユーザによって帯域拡張が選択されているかを確認する（ステップＳ４０１）。
【００４６】
帯域拡張が選択されていない場合、帯域制御部１４は通常の通信であることをＴｒａｉｎｉｎｇ選択部９と受信選択部１７とに通知し、この通知を受けてＴｒａｉｎｉｎｇ選択部９は通常ｔｒａｉｎｉｎｇ部１０が送出するｔｒａｉｎｉｎｇ信号を送出するように制御し、受信選択部１７は通常帯域受信部１５が受信信号を受信するように制御する（ステップＳ４０４）。
【００４７】
局内ＡＤＳＬモデム部１の下り拡張要求検出部２は、通常ｔｒａｉｎｉｎｇ部１０が送出したｔｒａｉｎｉｎｇ信号を受けて、送信選択部６に通常の通信であることを通知し、この通知を受けて、送信選択部６は通常送信帯域部４が信号を送出するように設定して、帯域の拡張は実行せずに通常ｔｒａｉｎｉｇシーケンスにて従来の周波数帯域を使用したＡＤＳＬ通信を行うようにする（ステップＳ４０５）。
【００４８】
一方、ステップＳ４０１で、帯域拡張が選択されている場合、ＶＤＳＬ信号検出部１３は、受信信号に基づいてＶＤＳＬ信号の検出開始し（ステップＳ４０２）、ＶＤＳＬ信号の有無を検出する（ステップＳ４０３）。
【００４９】
ＶＤＳＬ信号が検出された場合、ステップＳ４０４に進む。
【００５０】
一方、ステップＳ４０３でＶＤＳＬ信号が検出されなかった場合、帯域制御部１４は、帯域を拡張しての通信であることをＴｒａｉｎｉｎｇ選択部９と受信選択部１７とに通知する（ステップＳ４０６）。
【００５１】
この通知を受けてＴｒａｉｎｉｎｇ選択部９は下り拡張ｔｒａｉｎｉｎｇ部１１がｔｒａｉｎｉｎｇ信号を送出するように制御し、受信選択部１７は拡張帯域受信部１６が受信信号を受信するように制御する（ステップＳ４０７）。
【００５２】
局内ＡＤＳＬモデム部１の下り拡張要求検出部２は、下り拡張ｔｒａｉｎｉｎｇ部１１が送出したｔｒａｉｎｉｎｇ信号を受けると、送信選択部６に拡張した周波数帯域で信号を送出することを通知し、この通知を受けて送信選択部６は拡張帯域送信部５が信号を送出するように設定して、帯域を拡張したＡＤＳＬ通信を行うようにする（ステップＳ４０８）。
【００５３】
上述したように、干渉波ノイズとしてＡＤＳＬ回線で使用する電話回線に重畳されるＶＤＳＬノイズを宅内ＡＤＳＬモデム部７でＶＤＳＬ信号検出部１３にて監視し、ＶＤＳＬ信号が検出されない場合拡張した周波数帯域で下り信号を送信することで、ＡＤＳＬ通信の速度向上を実現する。
【００５４】
尚、上記説明では、周波数帯域を１２ＭＨｚまで拡張する場合を用いて説明したが、図５に示すように、５．２ＭＨｚまで拡張することが望ましい。これは、ＶＤＳＬでは、上りが３．７５ＭＨｚから５．２ＭＨｚまでと８．５ＭＨｚから１２ＭＨｚまで、下りが０．９ＭＨｚから３．７５ＭＨｚまでと５．２ＭＨｚから８．５ＭＨｚまでというように、上りと下りとでそれぞれ２つの帯域が割り付けられており、その内の５．２ＭＨｚから８．５ＭＨｚまでの下りと、８．５ＭＨｚから１２ＭＨｚまでの上りとをＶＤＳＬ専用に残した方が、ＶＤＳＬ回線への影響が少ないからである。
【００５５】
また、上記説明では、下り回線の周波数帯域のみを拡張していたが、上り回線の周波数帯域のみ、上り回線及び下り回線の少なくとも一方の周波数帯域を拡張させても良い。
【００５６】
以下に、上記通信システムの他の実施の形態の代表として、拡張する帯域をユーザの設定により上り下りのどちらでも選択できる例を図６及び図７を用いて説明する。尚、上記と同様の構成については同一番号を付し、詳細な説明は省略する。
【００５７】
図６は、拡張する帯域を上り下りのどちらでも選択できる通信システムのブロック図である。
【００５８】
帯域拡張設定部１２は、ユーザが上り回線及び下り回線の少なくとも一方の帯域を拡張するか否かを設定するものである。
【００５９】
帯域制御部１４は、帯域拡張設定部１２にて帯域拡張が選択されており、尚且つ、ＶＤＳＬ信号検出部１３がＶＤＳＬ信号を検出しなかった場合に、設定されている回線の帯域を拡張するように、Ｔｒａｉｎｉｎｇ選択部９と送受信選択部１７１とに通知する。
【００６０】
Ｔｒａｉｎｉｎｇ選択部９は、通常は通常ｔｒａｉｎｉｎｇ部１０がｔｒａｉｎｉｎｇ信号を送出するように設定し、帯域を拡張する旨の通知を帯域制御部１４から受けると、上り/下り拡張ｔｒａｉｎｉｎｇ部１１１がｔｒａｉｎｉｎｇ信号を送出するように設定する。
【００６１】
上り/下り拡張ｔｒａｉｎｉｎｇ部１１１は、選択されている回線の帯域を拡張する為に、ＡＤＳＬ通信のlinkup前でのｔｒａｉｎｉｎｇ信号で選択されている帯域の拡張の要求を示して送出する。
【００６２】
送受信選択部１７１は、通常は通常帯域送受信部１５１がデータ（信号）を送受信するように設定し、帯域を拡張する旨の通知を帯域制御部１４から受けると、拡張帯域受信部１６がデータを送受信するように設定する。
【００６３】
通常帯域送受信部１５１は、加入者側（宅内）に設置されている一般のＡＤＳＬ装置と同様に、ＡＤＳＬで使用されている周波数帯域（２６ＫＨｚ〜３．７５ＭＨｚ）の信号を送受信する。
【００６４】
拡張帯域送受信部１６１は、拡張された帯域（２６ＫＨｚ〜１２ＭＨｚ）で信号を送受信する。このとき、拡張を要求されている回線のみを拡張する。
【００６５】
上り/下り拡張要求検出部２１は、宅内ＡＤＳＬモデムからのｔｒａｉｎｉｎｇ信号に帯域拡張の要求が含まれているかを検出する。
【００６６】
送受信選択部６は、通常は通常帯域送受信部４１が信号を送受信するように設定し、上り/下り拡張要求検出部２１が帯域拡張の要求を検出した場合、拡張帯域送受信部５１がデータを送受信するように設定する。
【００６７】
通常帯域送受信部４１は、局側に一般に設置されているＡＤＳＬ装置と同様に、ＡＤＳＬで使用されている周波数帯域（２６ＫＨｚ〜３．７５ＭＨｚ）で信号を送受信する。
【００６８】
拡張帯域送受信部５１は、拡張された帯域（２６ＫＨｚ〜１２ＭＨｚ）で信号を送信する。このとき、拡張を要求されている回線のみを拡張する。
【００６９】
続いて、本発明における通信システムの動作について、図７を用いて説明する。
【００７０】
図７は、拡張する帯域を上り下りのどちらでも選択できる通信システムの動作を説明するためのフロー図である。
【００７１】
まず、帯域拡張設定部１２は、ユーザによって上り/下りの帯域拡張が選択されているかを確認する（ステップＳ７０１）。
【００７２】
帯域拡張が選択されていない場合、帯域制御部１４は通常の通信であることをＴｒａｉｎｉｎｇ選択部９と送受信選択部１７１とに通知し、この通知を受けてＴｒａｉｎｉｎｇ選択部９は通常ｔｒａｉｎｉｎｇ部１０が送出するｔｒａｉｎｉｎｇ信号を送出するように制御し、送受信選択部１７１は通常帯域送受信部１５が信号を送受信するように制御する（ステップＳ７０４）。
【００７３】
局内ＡＤＳＬモデム部１の上り/下り拡張要求検出部２１は、通常ｔｒａｉｎｉｎｇ部１０が送出したｔｒａｉｎｉｎｇ信号を受けて、送受信選択部６１に通常の通信であることを通知し、この通知を受けて、送受信選択部６１は通常送受信帯域部４１が信号を送出するように設定して、帯域の拡張は実行せずに通常ｔｒａｉｎｉｇシーケンスにて従来の周波数帯域を使用したＡＤＳＬ通信を行うようにする（ステップＳ７０５）。
【００７４】
一方、ステップＳ７０１で、帯域拡張が選択されている場合、ＶＤＳＬ信号検出部１３は、受信信号に基づいてＶＤＳＬ信号の検出開始し（ステップＳ７０２）、ＶＤＳＬ信号の有無を検出する（ステップＳ７０３）。
【００７５】
ステップＳ７０３で、ＶＤＳＬ信号が検出されなかった場合、帯域制御部１４は、上りの拡張又は下りの拡張が選択されているかを判断する（ステップＳ７０６）。
【００７６】
上りの拡張が選択されている場合、帯域制御部１４は上り回線の帯域を拡張しての通信であることをＴｒａｉｎｉｎｇ選択部９と送受信選択部１７１とに通知する（ステップＳ７０７）。
【００７７】
この通知を受けてＴｒａｉｎｉｎｇ選択部９は上り/下り拡張ｔｒａｉｎｉｎｇ部１１１がｔｒａｉｎｉｎｇ信号を送出するように制御し、送受信選択部１７１は拡張帯域送受信部１６１が信号を送信するように制御する（ステップＳ７０８）。
【００７８】
局内ＡＤＳＬモデム部１の上り/下り拡張要求検出部２１は、上り/下り拡張ｔｒａｉｎｉｎｇ部１１１が送出したｔｒａｉｎｉｎｇ信号を受けると、送受信選択部６に拡張した周波数帯域で信号を受信することを通知し、この通知を受けて送受信選択部６１は拡張帯域送受信部５１が信号を受信するように設定して、帯域を拡張したＡＤＳＬ通信を行うようにする（ステップＳ７０９）。
【００７９】
一方、ステップＳ７０６で下りの拡張が選択されている場合、帯域制御部１４は下り回線の帯域を拡張しての通信であることをＴｒａｉｎｉｎｇ選択部９と送受信選択部１７１とに通知する（ステップＳ７１０）。
【００８０】
この通知を受けてＴｒａｉｎｉｎｇ選択部９は上り/下り拡張ｔｒａｉｎｉｎｇ部１１１がｔｒａｉｎｉｎｇ信号を送出するように制御し、送受信選択部１７１は拡張帯域送受信部１６１が信号を受信するように制御する（ステップＳ７１１）。
【００８１】
局内ＡＤＳＬモデム部１の上り/下り拡張要求検出部２１は、上り/下り拡張ｔｒａｉｎｉｎｇ部１１１が送出したｔｒａｉｎｉｎｇ信号を受けると、送受信選択部６に拡張した周波数帯域で信号を送信することを通知し、この通知を受けて送受信選択部６１は拡張帯域送受信部５１が信号を送信するように設定して、帯域を拡張したＡＤＳＬ通信を行うようにする（ステップＳ７１２）。
【００８２】
上記のような構成をとると、図８に示すように、拡張する帯域をユーザの希望で上りに割り当てたり、下りに割り当てたりとよりニーズにあった使用方法が実現可能となる。
【００８３】
尚、上述した本発明の局内ＡＤＳＬモデム部１及び宅内ＡＤＳＬモデム部７は、上記説明からも明らかなように、ハードウェアで構成することも可能であるが、コンピュータプログラムにより実現することも可能である。
【００８４】
この場合、モデム部のプログラムメモリに格納されているプログラムで動作するプロセッサによって、上述した実施の形態と同様の機能、動作を実現させる。尚、上述した実施の形態の一部の機能のみをコンピュータプログラムにより実現することも可能である。
【図面の簡単な説明】
【００８５】
【図１】図１は、本発明の通信システムを説明するためのブロック図である。
【図２】図２は、ＡＤＳＬで使用している周波数帯域を説明するための図である。
【図３】図３は、ＶＤＳＬで使用している周波数帯域を説明するための図である。
【図４】図４は、本発明の動作を説明するための図である。
【図５】図５は、本発明の通信システムがＡＤＳＬで使用する周波数帯域を説明するための図である。
【図６】図６は、本発明の通信システムを説明するためのブロック図である。
【図７】図７は、本発明の動作を説明するための図である。
【図８】図８は、本発明の通信システムがＡＤＳＬで使用する周波数帯域を説明するための図である。
【符号の説明】
【００８６】
１          局内モデム部
２          下り拡張要求検出部
３          局側ＡＤＳＬ変復調部
４          通常帯域送信部
５          拡張帯域送信部
６          送信選択部
７          宅内ＡＤＳＬモデム部
８          宅内ＡＤＳＬモデム部
９          Ｔｒａｉｎｉｎｇ選択部
１０        通常Ｔｒａｉｎｉｎｇ部
１１        下り拡張Ｔｒａｉｎｉｎｇ部
１２        帯域拡張設定部
１３        ＶＤＳＬ信号検出部
１４        帯域制御部
１５        通常帯域受信部
１６        拡張帯域受信部
１７        受信選択部
【図１】
2008131318.tif 000003
【図２】
2008131318.tif 000004
【図３】
2008131318.tif 000005
【図４】
2008131318.tif 000006
【図５】
2008131318.tif 000007
【図６】
2008131318.tif 000008
【図７】
2008131318.tif 000009
【図８】
2008131318.tif 000010